(57)【要約】【課題】複雑な決済処理を実現することが可能な決済システムを提供すること。【解決手段】決済システム１００は、残金を表す残金情報を保持する残金情報保持体と残金情報保持体が保持する残金情報を読み書き可能に構成された端末装置とを含む。決済システムの機能は、支払処理実行部１１１と払戻条件判定部１１２と払戻処理実行部１１３とを含む。支払処理実行部は、残金情報保持体が保持している残金情報が表す残金を支払金額だけ減額する支払処理を行う。払戻条件判定部は、保持体特定情報を含む条件判定用情報を取得し取得した条件判定用情報に基づいて、払戻条件が成立するか否かを判定する。払戻処理実行部１１３は、払戻条件が成立している場合に、上記条件判定用情報に含まれる保持体特定情報により特定される残金情報保持体と端末装置とが通信を行うとき、残金情報保持体が保持している残金情報が表す残金を払戻金額だけ増額する払戻処理を行う。【選択図】図９
2010271865.tif 000002
【特許請求の範囲】
【請求項１】
残金を表す残金情報を保持する残金情報保持体と、当該残金情報保持体と無線通信を行うことにより当該残金情報保持体が保持する残金情報を読み書き可能に構成された端末装置と、を含む決済システムであって、
前記残金情報保持体が保持している残金情報が表す残金から所定の支払金額を減じた金額を表す情報に当該残金情報を更新する支払処理を行う支払処理実行手段と、
前記残金情報保持体を特定するための保持体特定情報を含む条件判定用情報を取得し、当該取得した条件判定用情報に基づいて、予め設定された払戻条件が成立するか否かを判定する払戻条件判定手段と、
前記払戻条件が成立していると判定された場合において、当該判定の基となった条件判定用情報に含まれる保持体特定情報により特定される残金情報保持体と前記端末装置とが通信を行うとき、当該残金情報保持体が保持している残金情報が表す残金に所定の払戻金額を加えた金額を表す情報に当該残金情報を更新する払戻処理を行う払戻処理実行手段と、
を備える決済システム。
【請求項２】
請求項１に記載の決済システムであって、
前記端末装置と通信可能に構成されたサーバシステムを含み、
前記端末装置は、
前記支払金額を受け付ける支払金額受付手段と、
前記残金情報保持体が保持している残金情報が表す残金から、前記受け付けられた支払金額を減じた金額を表す情報に当該残金情報を更新する前記支払処理を行うように構成された前記支払処理実行手段と、
前記払戻処理実行手段と、
を備え、
前記サーバシステムは、
前記払戻条件判定手段と、
前記払戻条件が成立していると判定された場合、当該判定の基となった条件判定用情報に含まれる保持体特定情報と前記払戻金額とを含む払戻情報を前記端末装置へ送信する払戻情報送信手段と、
を備え、
前記払戻処理実行手段は、前記サーバシステムから前記払戻情報を受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行うように構成された決済システム。
【請求項３】
請求項２に記載の決済システムであって、
前記端末装置は、
前記支払処理が実行された場合、前記端末装置の位置を表す端末装置位置情報、及び、前記支払金額を表す支払金額情報の少なくとも１つを含む支払情報と、前記残金情報保持体を特定するための保持体特定情報と、を前記サーバシステムへ送信する支払情報送信手段を備え、
前記払戻条件判定手段は、前記端末装置から前記支払情報及び前記保持体特定情報を受信し、当該受信した支払情報及び保持体特定情報に基づいて前記条件判定用情報を取得するように構成された決済システム。
【請求項４】
請求項３に記載の決済システムであって、
前記払戻情報送信手段は、前記払戻条件が成立していると判定された場合、当該判定の基となった前記支払情報に基づいて前記払戻金額を算出し、当該算出した払戻金額と前記保持体特定情報とを含む前記払戻情報を前記端末装置へ送信するように構成された決済システム。
【請求項５】
請求項３又は請求項４に記載の決済システムであって、
前記条件判定用情報は、前記残金情報保持体に対して所定の期間内に実行された前記支払処理の支払金額の和を表す情報を含み、
前記払戻条件は、前記支払金額の和が予め設定された閾値金額以上であるという条件である決済システム。
【請求項６】
請求項３乃至請求項５のいずれか一項に記載の決済システムであって、
前記条件判定用情報は、前記残金情報保持体に対して所定の期間内に前記支払処理を実行した前記端末装置の位置を表す情報を含み、
前記払戻条件は、前記端末装置の位置が予め設定された領域内であるという条件である決済システム。
【請求項７】
請求項３乃至請求項６のいずれか一項に記載の決済システムであって、
前記条件判定用情報は、前記残金情報保持体に対して所定の期間内に前記支払処理が実行された支払回数を表す情報を含み、
前記払戻条件は、前記支払回数が予め設定された閾値回数以上であるという条件である決済システム。
【請求項８】
請求項１乃至請求項７のいずれか一項に記載の決済システムであって、
前記決済システムは、前記残金情報保持体を搭載する携帯電話機を含み、
前記携帯電話機は、
当該携帯電話機の位置を表す電話機位置情報と、当該携帯電話機に搭載された残金情報保持体を特定するための保持体特定情報と、を前記サーバシステムへ送信する電話機位置情報送信手段を備え、
前記払戻条件判定手段は、前記携帯電話機から前記電話機位置情報及び前記保持体特定情報を受信し、当該受信した電話機位置情報及び保持体特定情報に基づいて前記条件判定用情報を取得するように構成された決済システム。
【請求項９】
請求項８のいずれか一項に記載の決済システムであって、
前記条件判定用情報は、前記残金情報保持体を搭載する携帯電話機の所定の期間内の位置を表す情報を含み、
前記払戻条件は、前記携帯電話機の位置が予め設定された領域内であるという条件である決済システム。
【請求項１０】
請求項１乃至請求項９のいずれか一項に記載の決済システムであって、
前記端末装置は、所定の電磁波を放射することにより、当該端末装置の近傍に配置された前記残金情報保持体に電力を供給するとともに、当該残金情報保持体と無線通信を行うように構成された決済システム。
【請求項１１】
残金を表す残金情報を保持する残金情報保持体と、当該残金情報保持体と無線通信を行うことにより当該残金情報保持体が保持する残金情報を読み書き可能に構成された端末装置と、を含む決済システムに適用され、
前記残金情報保持体が保持している残金情報が表す残金から所定の支払金額を減じた金額を表す情報に当該残金情報を更新する支払処理を行う支払処理実行工程と、
前記残金情報保持体を特定するための保持体特定情報を含む条件判定用情報を取得し、当該取得した条件判定用情報に基づいて、予め設定された払戻条件が成立するか否かを判定する払戻条件判定工程と、
前記払戻条件が成立していると判定された場合において、当該判定の基となった条件判定用情報に含まれる保持体特定情報により特定される残金情報保持体と前記端末装置とが通信を行うとき、当該残金情報保持体が保持している残金情報が表す残金に所定の払戻金額を加えた金額を表す情報に当該残金情報を更新する払戻処理を行う払戻処理実行工程と、
を含む決済方法。
【請求項１２】
請求項１１に記載の決済方法であって、
前記決済システムは、前記端末装置と通信可能に構成されたサーバシステムを含み、
前記決済方法は、
前記端末装置が前記支払金額を受け付ける支払金額受付工程を含み、
前記支払処理実行工程は、前記残金情報保持体が保持している残金情報が表す残金から、前記受け付けられた支払金額を減じた金額を表す情報に当該残金情報を更新する前記支払処理を前記端末装置が行うように構成され、
更に、前記決済方法は、
前記払戻条件が成立していると判定された場合、当該判定の基となった条件判定用情報に含まれる保持体特定情報と前記払戻金額とを含む払戻情報を前記サーバシステムが前記端末装置へ送信する払戻情報送信工程を含み、
前記払戻処理実行工程は、前記端末装置が、前記サーバシステムから前記払戻情報を受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行うように構成された決済方法。
【請求項１３】
請求項１２に記載の決済方法であって、
前記支払処理が実行された場合、前記端末装置の位置を表す端末装置位置情報、及び、前記支払金額を表す支払金額情報の少なくとも１つを含む支払情報と、前記残金情報保持体を特定するための保持体特定情報と、を当該端末装置が前記サーバシステムへ送信する支払情報送信工程を含み、
前記払戻条件判定工程は、前記サーバシステムが、前記端末装置から前記支払情報及び前記保持体特定情報を受信し、当該受信した支払情報及び保持体特定情報に基づいて前記条件判定用情報を取得するように構成された決済方法。
【請求項１４】
請求項１１乃至請求項１３のいずれか一項に記載の決済方法であって、
前記決済システムは、前記残金情報保持体を搭載する携帯電話機を含み、
前記決済方法は、
前記携帯電話機の位置を表す電話機位置情報と、当該携帯電話機に搭載された残金情報保持体を特定するための保持体特定情報と、を当該携帯電話機が前記サーバシステムへ送信する電話機位置情報送信工程を含み、
前記払戻条件判定工程は、前記サーバシステムが、前記携帯電話機から前記電話機位置情報及び前記保持体特定情報を受信し、当該受信した電話機位置情報及び保持体特定情報に基づいて前記条件判定用情報を取得するように構成された決済方法。
【請求項１５】
残金を表す残金情報を保持する残金情報保持体と無線通信を行うことにより当該残金情報保持体が保持する残金情報を読み書き可能に構成されるとともに、サーバシステムと通信可能に構成された端末装置であって、
支払金額を受け付ける支払金額受付手段と、
前記残金情報保持体が保持している残金情報が表す残金から、前記受け付けられた支払金額を減じた金額を表す情報に当該残金情報を更新する前記支払処理を行う支払処理実行手段と、
前記残金情報保持体を特定するための保持体特定情報と所定の払戻金額とを含む払戻情報を前記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を備える端末装置。
【請求項１６】
請求項１５に記載の端末装置であって、
前記支払処理が実行された場合、前記端末装置の位置を表す端末装置位置情報、及び、前記支払金額を表す支払金額情報の少なくとも１つを含む支払情報と、前記残金情報保持体を特定するための保持体特定情報と、を前記サーバシステムへ送信する支払情報送信手段を備える端末装置。
【請求項１７】
残金を表す残金情報を保持する残金情報保持体と無線通信を行うことにより当該残金情報保持体が保持する残金情報を読み書き可能に構成されるとともに、サーバシステムと通信可能に構成された端末装置に、
支払金額を受け付ける支払金額受付手段と、
前記残金情報保持体が保持している残金情報が表す残金から、前記受け付けられた支払金額を減じた金額を表す情報に当該残金情報を更新する前記支払処理を行う支払処理実行手段と、
前記残金情報保持体を特定するための保持体特定情報と所定の払戻金額とを含む払戻情報を前記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を実現させるためのプログラム。
【請求項１８】
請求項１７に記載のプログラムであって、
前記端末装置に、更に、
前記支払処理が実行された場合、当該端末装置の位置を表す端末装置位置情報、及び、前記支払金額を表す支払金額情報の少なくとも１つを含む支払情報と、前記残金情報保持体を特定するための保持体特定情報と、を前記サーバシステムへ送信する支払情報送信手段を実現させるためのプログラム。
【請求項１９】
残金を表す残金情報を保持する残金情報保持体と無線通信を行うことにより当該残金情報保持体が保持する残金情報を読み書き可能に構成された端末装置と通信可能に構成されたサーバシステムであって、
前記残金情報保持体を特定するための保持体特定情報を含む条件判定用情報を取得し、当該取得した条件判定用情報に基づいて、予め設定された払戻条件が成立するか否かを判定する払戻条件判定手段と、
前記払戻条件が成立していると判定された場合、当該判定の基となった条件判定用情報に含まれる保持体特定情報と所定の払戻金額とを含む払戻情報を前記端末装置へ送信する払戻情報送信手段と、
を備えるサーバシステム。
【請求項２０】
請求項１９に記載のサーバシステムであって、
前記払戻条件判定手段は、前記端末装置から、当該端末装置の位置を表す端末装置位置情報、及び、支払金額を表す支払金額情報の少なくとも１つを含む支払情報及び前記保持体特定情報を受信し、当該受信した支払情報及び保持体特定情報に基づいて前記条件判定用情報を取得するように構成されたサーバシステム。
【請求項２１】
請求項１９又は請求項２０に記載のサーバシステムであって、
前記残金情報保持体は、携帯電話機に搭載され、
前記払戻条件判定手段は、前記携帯電話機から、当該携帯電話機の位置を表す電話機位置情報及び前記保持体特定情報を受信し、当該受信した電話機位置情報及び保持体特定情報に基づいて前記条件判定用情報を取得するように構成されたサーバシステム。
【請求項２２】
残金を表す残金情報を保持する残金情報保持体と無線通信を行うことにより当該残金情報保持体が保持する残金情報を読み書き可能に構成された端末装置と通信可能に構成されたサーバ装置に、
前記残金情報保持体を特定するための保持体特定情報を含む条件判定用情報を取得し、当該取得した条件判定用情報に基づいて、予め設定された払戻条件が成立するか否かを判定する払戻条件判定手段と、
前記払戻条件が成立していると判定された場合、当該判定の基となった条件判定用情報に含まれる保持体特定情報と所定の払戻金額とを含む払戻情報を前記端末装置へ送信する払戻情報送信手段と、
を実現させるためのプログラム。
【請求項２３】
請求項２２に記載のプログラムであって、
前記払戻条件判定手段は、前記端末装置から、当該端末装置の位置を表す端末装置位置情報、及び、支払金額を表す支払金額情報の少なくとも１つを含む支払情報及び前記保持体特定情報を受信し、当該受信した支払情報及び保持体特定情報に基づいて前記条件判定用情報を取得するように構成されたプログラム。
【請求項２４】
請求項２２又は請求項２３に記載のプログラムであって、
前記残金情報保持体は、携帯電話機に搭載され、
前記払戻条件判定手段は、前記携帯電話機から、当該携帯電話機の位置を表す電話機位置情報及び前記保持体特定情報を受信し、当該受信した電話機位置情報及び保持体特定情報に基づいて前記条件判定用情報を取得するように構成されたプログラム。
【請求項２５】
残金を表す残金情報を保持する残金情報保持体を搭載する携帯電話機であって、
当該携帯電話機の位置を表す電話機位置情報と、当該携帯電話機に搭載された残金情報保持体を特定するための保持体特定情報と、をサーバシステムへ送信する電話機位置情報送信手段を備える携帯電話機。
【請求項２６】
残金を表す残金情報を保持する残金情報保持体を搭載する携帯電話機に、
当該携帯電話機の位置を表す電話機位置情報と、当該携帯電話機に搭載された残金情報保持体を特定するための保持体特定情報と、をサーバシステムへ送信する電話機位置情報送信手段を実現させるためのプログラム。
【発明の詳細な説明】
【技術分野】
【０００１】
本発明は、残金情報を保持する残金情報保持体と、当該残金情報を読み書き可能に構成された端末装置と、を含む決済システムに関する。
【背景技術】
【０００２】
残金を表す残金情報を保持する残金情報保持体（例えば、ＩＣ（Ｉｎｔｅｇｒａｔｅｄ  Ｃｉｒｃｕｉｔ）チップ）と、当該残金情報保持体と無線通信を行うことにより当該残金情報保持体が保持する残金情報を読み書き可能に構成された端末装置と、を含む決済システムが知られている。
【０００３】
この種の決済システムの一つとして、特許文献１に記載の決済システムは、端末装置の近傍に残金情報保持体が配置された場合に、端末装置と残金情報保持体とが無線通信を行う。これにより、決済システムは、残金情報保持体が保持している残金情報が表す残金から所定の支払金額を減じた金額を表す情報に当該残金情報を更新する支払処理を行う。
【先行技術文献】
【特許文献】
【０００４】
【特許文献１】国際公開第２００１／０２２３４２号パンフレット
【発明の概要】
【発明が解決しようとする課題】
【０００５】
ところで、上記決済システムにおいては、例えば、所定の期間内に特定の領域内にて支払処理が行われた場合に所定の払戻金額の払い戻しを行う（即ち、支払金額を割り引く）等の複雑な決済処理を実現できないという問題があった。
【０００６】
このため、本発明の目的は、上述した課題である「複雑な決済処理を実現できないこと」を解決することが可能な決済システムを提供することにある。
【課題を解決するための手段】
【０００７】
かかる目的を達成するため本発明の一形態である決済システムは、残金を表す残金情報を保持する残金情報保持体と、当該残金情報保持体と無線通信を行うことにより当該残金情報保持体が保持する残金情報を読み書き可能に構成された端末装置と、を含むシステムである。
【０００８】
更に、この決済システムは、
上記残金情報保持体が保持している残金情報が表す残金から所定の支払金額を減じた金額を表す情報に当該残金情報を更新する支払処理を行う支払処理実行手段と、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合において、当該判定の基となった条件判定用情報に含まれる保持体特定情報により特定される残金情報保持体と上記端末装置とが通信を行うとき、当該残金情報保持体が保持している残金情報が表す残金に所定の払戻金額を加えた金額を表す情報に当該残金情報を更新する払戻処理を行う払戻処理実行手段と、
を備える。
【０００９】
また、本発明の他の形態である決済方法は、残金を表す残金情報を保持する残金情報保持体と、当該残金情報保持体と無線通信を行うことにより当該残金情報保持体が保持する残金情報を読み書き可能に構成された端末装置と、を含む決済システムに適用される方法である。
【００１０】
更に、上記決済方法は、
上記残金情報保持体が保持している残金情報が表す残金から所定の支払金額を減じた金額を表す情報に当該残金情報を更新する支払処理を行う支払処理実行工程と、
上記残金情報保持体を特定するための保持体特定情報を含む条件判定用情報を取得し、当該取得した条件判定用情報に基づいて、予め設定された払戻条件が成立するか否かを判定する払戻条件判定工程と、
上記払戻条件が成立していると判定された場合において、当該判定の基となった条件判定用情報に含まれる保持体特定情報により特定される残金情報保持体と上記端末装置とが通信を行うとき、当該残金情報保持体が保持している残金情報が表す残金に所定の払戻金額を加えた金額を表す情報に当該残金情報を更新する払戻処理を行う払戻処理実行工程と、
を含む。
【００１１】
また、本発明の他の形態である端末装置は、残金を表す残金情報を保持する残金情報保持体と無線通信を行うことにより当該残金情報保持体が保持する残金情報を読み書き可能に構成されるとともに、サーバシステムと通信可能に構成された装置である。
【００１２】
更に、この端末装置は、
支払金額を受け付ける支払金額受付手段と、
上記残金情報保持体が保持している残金情報が表す残金から、上記受け付けられた支払金額を減じた金額を表す情報に当該残金情報を更新する上記支払処理を行う支払処理実行手段と、
上記残金情報保持体を特定するための保持体特定情報と所定の払戻金額とを含む払戻情報を上記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を備える。
【００１３】
また、本発明の他の形態であるプログラムは、
残金を表す残金情報を保持する残金情報保持体と無線通信を行うことにより当該残金情報保持体が保持する残金情報を読み書き可能に構成されるとともに、サーバシステムと通信可能に構成された端末装置に、
支払金額を受け付ける支払金額受付手段と、
上記残金情報保持体が保持している残金情報が表す残金から、上記受け付けられた支払金額を減じた金額を表す情報に当該残金情報を更新する上記支払処理を行う支払処理実行手段と、
上記残金情報保持体を特定するための保持体特定情報と所定の払戻金額とを含む払戻情報を上記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を実現させるためのプログラムである。
【００１４】
また、本発明の他の形態であるサーバシステムは、残金を表す残金情報を保持する残金情報保持体と無線通信を行うことにより当該残金情報保持体が保持する残金情報を読み書き可能に構成された端末装置と通信可能に構成されたシステムである。
【００１５】
更に、このサーバシステムは、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合、当該判定の基となった条件判定用情報に含まれる保持体特定情報と所定の払戻金額とを含む払戻情報を上記端末装置へ送信する払戻情報送信手段と、
を備える。
【００１６】
また、本発明の他の形態であるプログラムは、
残金を表す残金情報を保持する残金情報保持体と無線通信を行うことにより当該残金情報保持体が保持する残金情報を読み書き可能に構成された端末装置と通信可能に構成されたサーバ装置に、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合、当該判定の基となった条件判定用情報に含まれる保持体特定情報と所定の払戻金額とを含む払戻情報を上記端末装置へ送信する払戻情報送信手段と、
を実現させるためのプログラムである。
【００１７】
また、本発明の他の形態である携帯電話機は、残金を表す残金情報を保持する残金情報保持体を搭載する携帯電話機である。
更に、この携帯電話機は、当該携帯電話機の位置を表す電話機位置情報と、当該携帯電話機に搭載された残金情報保持体を特定するための保持体特定情報と、をサーバシステムへ送信する電話機位置情報送信手段を備える。
【００１８】
また、本発明の他の形態であるプログラムは、
残金を表す残金情報を保持する残金情報保持体を搭載する携帯電話機に、
当該携帯電話機の位置を表す電話機位置情報と、当該携帯電話機に搭載された残金情報保持体を特定するための保持体特定情報と、をサーバシステムへ送信する電話機位置情報送信手段を実現させるためのプログラムである。
【発明の効果】
【００１９】
本発明は、以上のように構成されることにより、複雑な決済処理を実現することができる。
【図面の簡単な説明】
【００２０】
【図１】本発明の実施形態に係る決済システムの概略構成を表す図である。
【図２】本発明の実施形態に係る決済システムの機能の概略を表すブロック図である。
【図３】本発明の実施形態に係る端末装置のＣＰＵが実行する決済処理プログラムを示したフローチャートである。
【図４】本発明の実施形態に係るサーバ装置のＣＰＵが実行する払戻条件判定処理プログラムを示したフローチャートである。
【図５】本発明の実施形態に係るサーバ装置の記憶装置が記憶する、支払情報及び保持体特定情報を対応付けた支払情報テーブルを示した図である。
【図６】本発明の実施形態に係るサーバ装置の記憶装置が記憶する、電話機位置情報、日時情報及び保持体特定情報を対応付けた電話機位置情報テーブルを示した図である。
【図７】本発明の実施形態に係るサーバ装置の記憶装置が記憶する、期間特定情報及び領域特定情報を対応付けた払戻条件情報を示した図である。
【図８】本発明の実施形態に係る端末装置の記憶装置が記憶する、払戻金額情報及び保持体特定情報を対応付けた情報を示した図である。
【図９】本発明の実施形態の変形例に係る決済システムの機能の概略を表すブロック図である。
【発明を実施するための形態】
【００２１】
本発明の一形態である決済システムは、残金を表す残金情報を保持する残金情報保持体と、当該残金情報保持体と無線通信を行うことにより当該残金情報保持体が保持する残金情報を読み書き可能に構成された端末装置と、を含むシステムである。
【００２２】
更に、この決済システムは、
上記残金情報保持体が保持している残金情報が表す残金から所定の支払金額を減じた金額を表す情報に当該残金情報を更新する支払処理を行う支払処理実行手段と、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合において、当該判定の基となった条件判定用情報に含まれる保持体特定情報により特定される残金情報保持体と上記端末装置とが通信を行うとき、当該残金情報保持体が保持している残金情報が表す残金に所定の払戻金額を加えた金額を表す情報に当該残金情報を更新する払戻処理を行う払戻処理実行手段と、
を備える。
【００２３】
これによれば、払戻条件が成立した時点、又は、払戻条件が成立した時点以降において端末装置と残金情報保持体との間で通信が行われた時点にて、払戻処理が行われる。この結果、例えば、所定の期間内に特定の領域内にて支払処理が実行された場合、又は、所定の期間内に実行された支払処理の支払金額の和が閾値以上である場合に払戻処理を行う等の複雑な決済処理を実現することができる。
【００２４】
この場合、上記決済システムは、
上記端末装置と通信可能に構成されたサーバシステムを含み、
上記端末装置は、
上記支払金額を受け付ける支払金額受付手段と、
上記残金情報保持体が保持している残金情報が表す残金から、上記受け付けられた支払金額を減じた金額を表す情報に当該残金情報を更新する上記支払処理を行うように構成された上記支払処理実行手段と、
上記払戻処理実行手段と、
を備え、
上記サーバシステムは、
上記払戻条件判定手段と、
上記払戻条件が成立していると判定された場合、当該判定の基となった条件判定用情報に含まれる保持体特定情報と上記払戻金額とを含む払戻情報を上記端末装置へ送信する払戻情報送信手段と、
を備え、
上記払戻処理実行手段は、上記サーバシステムから上記払戻情報を受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行うように構成されることが好適である。
【００２５】
この場合、上記端末装置は、
上記支払処理が実行された場合、上記端末装置の位置を表す端末装置位置情報、及び、上記支払金額を表す支払金額情報の少なくとも１つを含む支払情報と、上記残金情報保持体を特定するための保持体特定情報と、を上記サーバシステムへ送信する支払情報送信手段を備え、
上記払戻条件判定手段は、上記端末装置から上記支払情報及び上記保持体特定情報を受信し、当該受信した支払情報及び保持体特定情報に基づいて上記条件判定用情報を取得するように構成されることが好適である。
【００２６】
これによれば、サーバシステムは、端末装置から受信した支払情報に基づいて取得した条件判定用情報に基づいて、払戻条件が成立しているか否かを判定することができる。従って、サーバシステムは、例えば、支払処理を実行した端末装置の位置、又は、支払処理に係る支払金額等に基づいて払戻条件が成立しているか否かを判定することができる。
【００２７】
この場合、上記払戻情報送信手段は、上記払戻条件が成立していると判定された場合、当該判定の基となった上記支払情報に基づいて上記払戻金額を算出し、当該算出した払戻金額と上記保持体特定情報とを含む上記払戻情報を上記端末装置へ送信するように構成されることが好適である。
【００２８】
これによれば、払戻金額を支払情報に応じて決定することができる。従って、例えば、所定の期間内における支払金額に応じて払戻金額を決定することができる。
【００２９】
この場合、上記条件判定用情報は、上記残金情報保持体に対して所定の期間内に実行された上記支払処理の支払金額の和を表す情報を含み、
上記払戻条件は、上記支払金額の和が予め設定された閾値金額以上であるという条件であることが好適である。
【００３０】
この場合、上記条件判定用情報は、上記残金情報保持体に対して所定の期間内に上記支払処理を実行した上記端末装置の位置を表す情報を含み、
上記払戻条件は、上記端末装置の位置が予め設定された領域内であるという条件であることが好適である。
【００３１】
この場合、上記条件判定用情報は、上記残金情報保持体に対して所定の期間内に上記支払処理が実行された支払回数を表す情報を含み、
上記払戻条件は、上記支払回数が予め設定された閾値回数以上であるという条件であることが好適である。
【００３２】
この場合、上記決済システムは、上記残金情報保持体を搭載する携帯電話機を含み、
上記携帯電話機は、
当該携帯電話機の位置を表す電話機位置情報と、当該携帯電話機に搭載された残金情報保持体を特定するための保持体特定情報と、を上記サーバシステムへ送信する電話機位置情報送信手段を備え、
上記払戻条件判定手段は、上記携帯電話機から上記電話機位置情報及び上記保持体特定情報を受信し、当該受信した電話機位置情報及び保持体特定情報に基づいて上記条件判定用情報を取得するように構成されることが好適である。
【００３３】
上述した決済システムにおいて、サーバシステムは、支払処理が実行されない限り、残金情報保持体を保持するユーザの位置を特定することができない。従って、支払処理が実行されていない期間内のユーザの位置に基づいて、払戻条件が成立しているか否かを判定することができない。これに対し、上記構成によれば、支払処理が実行されていない期間であっても、サーバシステムは、電話機位置情報に基づいてユーザの位置を特定することができる。従って、この決済システムによれば、支払処理が実行されていない期間におけるユーザの位置に基づいて、払戻条件が成立しているか否かを判定することができる。
【００３４】
この場合、上記条件判定用情報は、上記残金情報保持体を搭載する携帯電話機の所定の期間内の位置を表す情報を含み、
上記払戻条件は、上記携帯電話機の位置が予め設定された領域内であるという条件であることが好適である。
【００３５】
この場合、上記端末装置は、所定の電磁波を放射することにより、当該端末装置の近傍に配置された上記残金情報保持体に電力を供給するとともに、当該残金情報保持体と無線通信を行うように構成されることが好適である。
【００３６】
また、本発明の他の形態である決済方法は、残金を表す残金情報を保持する残金情報保持体と、当該残金情報保持体と無線通信を行うことにより当該残金情報保持体が保持する残金情報を読み書き可能に構成された端末装置と、を含む決済システムに適用される方法である。
【００３７】
更に、上記決済方法は、
上記残金情報保持体が保持している残金情報が表す残金から所定の支払金額を減じた金額を表す情報に当該残金情報を更新する支払処理を行う支払処理実行工程と、
上記残金情報保持体を特定するための保持体特定情報を含む条件判定用情報を取得し、当該取得した条件判定用情報に基づいて、予め設定された払戻条件が成立するか否かを判定する払戻条件判定工程と、
上記払戻条件が成立していると判定された場合において、当該判定の基となった条件判定用情報に含まれる保持体特定情報により特定される残金情報保持体と上記端末装置とが通信を行うとき、当該残金情報保持体が保持している残金情報が表す残金に所定の払戻金額を加えた金額を表す情報に当該残金情報を更新する払戻処理を行う払戻処理実行工程と、
を含む。
【００３８】
この場合、上記決済システムは、上記端末装置と通信可能に構成されたサーバシステムを含み、
上記決済方法は、
上記端末装置が上記支払金額を受け付ける支払金額受付工程を含み、
上記支払処理実行工程は、上記残金情報保持体が保持している残金情報が表す残金から、上記受け付けられた支払金額を減じた金額を表す情報に当該残金情報を更新する上記支払処理を上記端末装置が行うように構成され、
更に、上記決済方法は、
上記払戻条件が成立していると判定された場合、当該判定の基となった条件判定用情報に含まれる保持体特定情報と上記払戻金額とを含む払戻情報を上記サーバシステムが上記端末装置へ送信する払戻情報送信工程を含み、
上記払戻処理実行工程は、上記端末装置が、上記サーバシステムから上記払戻情報を受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行うように構成されることが好適である。
【００３９】
この場合、上記決済方法は、
上記支払処理が実行された場合、上記端末装置の位置を表す端末装置位置情報、及び、上記支払金額を表す支払金額情報の少なくとも１つを含む支払情報と、上記残金情報保持体を特定するための保持体特定情報と、を当該端末装置が上記サーバシステムへ送信する支払情報送信工程を含み、
上記払戻条件判定工程は、上記サーバシステムが、上記端末装置から上記支払情報及び上記保持体特定情報を受信し、当該受信した支払情報及び保持体特定情報に基づいて上記条件判定用情報を取得するように構成されることが好適である。
【００４０】
この場合、上記決済システムは、上記残金情報保持体を搭載する携帯電話機を含み、
上記決済方法は、
上記携帯電話機の位置を表す電話機位置情報と、当該携帯電話機に搭載された残金情報保持体を特定するための保持体特定情報と、を当該携帯電話機が上記サーバシステムへ送信する電話機位置情報送信工程を含み、
上記払戻条件判定工程は、上記サーバシステムが、上記携帯電話機から上記電話機位置情報及び上記保持体特定情報を受信し、当該受信した電話機位置情報及び保持体特定情報に基づいて上記条件判定用情報を取得するように構成されることが好適である。
【００４１】
また、本発明の他の形態である端末装置は、残金を表す残金情報を保持する残金情報保持体と無線通信を行うことにより当該残金情報保持体が保持する残金情報を読み書き可能に構成されるとともに、サーバシステムと通信可能に構成された装置である。
【００４２】
更に、この端末装置は、
支払金額を受け付ける支払金額受付手段と、
上記残金情報保持体が保持している残金情報が表す残金から、上記受け付けられた支払金額を減じた金額を表す情報に当該残金情報を更新する上記支払処理を行う支払処理実行手段と、
上記残金情報保持体を特定するための保持体特定情報と所定の払戻金額とを含む払戻情報を上記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を備える。
【００４３】
この場合、上記端末装置は、
上記支払処理が実行された場合、上記端末装置の位置を表す端末装置位置情報、及び、上記支払金額を表す支払金額情報の少なくとも１つを含む支払情報と、上記残金情報保持体を特定するための保持体特定情報と、を上記サーバシステムへ送信する支払情報送信手段を備えることが好適である。
【００４４】
また、本発明の他の形態であるプログラムは、
残金を表す残金情報を保持する残金情報保持体と無線通信を行うことにより当該残金情報保持体が保持する残金情報を読み書き可能に構成されるとともに、サーバシステムと通信可能に構成された端末装置に、
支払金額を受け付ける支払金額受付手段と、
上記残金情報保持体が保持している残金情報が表す残金から、上記受け付けられた支払金額を減じた金額を表す情報に当該残金情報を更新する上記支払処理を行う支払処理実行手段と、
上記残金情報保持体を特定するための保持体特定情報と所定の払戻金額とを含む払戻情報を上記サーバシステムから受信するとともに、当該受信した払戻情報に含まれる保持体特定情報により特定される残金情報保持体と通信を行う場合、当該払戻情報に含まれる払戻金額を、当該残金情報保持体が保持している残金情報が表す残金に加えた金額を表す情報に当該残金情報を更新する払戻処理を行う払戻処理実行手段と、
を実現させるためのプログラムである。
【００４５】
この場合、上記プログラムは、
上記端末装置に、更に、
上記支払処理が実行された場合、当該端末装置の位置を表す端末装置位置情報、及び、上記支払金額を表す支払金額情報の少なくとも１つを含む支払情報と、上記残金情報保持体を特定するための保持体特定情報と、を上記サーバシステムへ送信する支払情報送信手段を実現させるためのプログラムであることが好適である。
【００４６】
また、本発明の他の形態であるサーバシステムは、残金を表す残金情報を保持する残金情報保持体と無線通信を行うことにより当該残金情報保持体が保持する残金情報を読み書き可能に構成された端末装置と通信可能に構成されたシステムである。
【００４７】
更に、このサーバシステムは、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合、当該判定の基となった条件判定用情報に含まれる保持体特定情報と所定の払戻金額とを含む払戻情報を上記端末装置へ送信する払戻情報送信手段と、
を備える。
【００４８】
この場合、上記払戻条件判定手段は、上記端末装置から、当該端末装置の位置を表す端末装置位置情報、及び、支払金額を表す支払金額情報の少なくとも１つを含む支払情報及び上記保持体特定情報を受信し、当該受信した支払情報及び保持体特定情報に基づいて上記条件判定用情報を取得するように構成されることが好適である。
【００４９】
この場合、上記残金情報保持体は、携帯電話機に搭載され、
上記払戻条件判定手段は、上記携帯電話機から、当該携帯電話機の位置を表す電話機位置情報及び上記保持体特定情報を受信し、当該受信した電話機位置情報及び保持体特定情報に基づいて上記条件判定用情報を取得するように構成されることが好適である。
【００５０】
また、本発明の他の形態であるプログラムは、
残金を表す残金情報を保持する残金情報保持体と無線通信を行うことにより当該残金情報保持体が保持する残金情報を読み書き可能に構成された端末装置と通信可能に構成されたサーバ装置に、
上記残金情報保持体を特定するための保持体特定情報を含む条件判定用情報を取得し、当該取得した条件判定用情報に基づいて、予め設定された払戻条件が成立するか否かを判定する払戻条件判定手段と、
上記払戻条件が成立していると判定された場合、当該判定の基となった条件判定用情報に含まれる保持体特定情報と所定の払戻金額とを含む払戻情報を上記端末装置へ送信する払戻情報送信手段と、
を実現させるためのプログラムである。
【００５１】
この場合、上記払戻条件判定手段は、上記端末装置から、当該端末装置の位置を表す端末装置位置情報、及び、支払金額を表す支払金額情報の少なくとも１つを含む支払情報及び上記保持体特定情報を受信し、当該受信した支払情報及び保持体特定情報に基づいて上記条件判定用情報を取得するように構成されることが好適である。
【００５２】
この場合、上記残金情報保持体は、携帯電話機に搭載され、
上記払戻条件判定手段は、上記携帯電話機から、当該携帯電話機の位置を表す電話機位置情報及び上記保持体特定情報を受信し、当該受信した電話機位置情報及び保持体特定情報に基づいて上記条件判定用情報を取得するように構成されることが好適である。
【００５３】
また、本発明の他の形態である携帯電話機は、残金を表す残金情報を保持する残金情報保持体を搭載する携帯電話機である。
更に、この携帯電話機は、当該携帯電話機の位置を表す電話機位置情報と、当該携帯電話機に搭載された残金情報保持体を特定するための保持体特定情報と、をサーバシステムへ送信する電話機位置情報送信手段を備える。
【００５４】
また、本発明の他の形態であるプログラムは、
残金を表す残金情報を保持する残金情報保持体を搭載する携帯電話機に、
当該携帯電話機の位置を表す電話機位置情報と、当該携帯電話機に搭載された残金情報保持体を特定するための保持体特定情報と、をサーバシステムへ送信する電話機位置情報送信手段を実現させるためのプログラムである。
【００５５】
上述した構成を有する、決済方法、端末装置、プログラム、サーバシステム、又は、携帯電話機、の発明であっても、上記決済システムと同様の作用を有するために、上述した本発明の目的を達成することができる。
【００５６】
以下、本発明に係る、決済システム、決済方法、端末装置、プログラム、サーバシステム、及び、携帯電話機、の実施形態について図１〜図９を参照しながら説明する。
【００５７】
＜実施形態＞
（構成）
図１に示したように、実施形態に係る決済システム１は、端末装置１１と、サーバシステムを構成するサーバ装置１２と、移動体装置としての携帯電話機１３と、基地局装置１４と、を含む。サーバ装置１２と、端末装置１１及び基地局装置１４のそれぞれと、は、通信回線を介して、通信可能に接続されている。
【００５８】
基地局装置１４は、携帯電話機１３と無線により通信可能に構成されている。基地局装置１４は、携帯電話機１３と通信することにより、携帯電話機１３と、携帯電話網を介して接続された他の携帯電話機と、の間の通信を中継する。
【００５９】
携帯電話機１３は、ＣＰＵ、記憶装置（メモリ）、入力装置（本例では、マイク及び複数のキーボタン）、及び、出力装置（本例では、スピーカ及びディスプレイ）を備える。更に、携帯電話機１３は、基地局装置１４との間で無線により通信を行う通信装置（通信用アンテナを含む）を備える。携帯電話機１３は、記憶装置に記憶されているプログラムをＣＰＵが実行することにより、後述する機能を実現するように構成されている。
【００６０】
更に、携帯電話機１３には、残金情報保持体としてのＩＣ（Ｉｎｔｅｇｒａｔｅｄ  Ｃｉｒｃｕｉｔ）チップ１３ａが搭載されている。ＩＣチップ１３ａは、非接触型のＩＣチップである。ＩＣチップ１３ａは、アンテナコイルを含む。ＩＣチップ１３ａは、残金を表す残金情報を記憶（保持）するメモリを有する。
【００６１】
端末装置１１は、ＩＣチップ１３ａが端末装置１１の近傍に配置されている状態において、所定の電磁波を放射することにより、ＩＣチップ１３ａのアンテナコイルを介してＩＣチップ１３ａに電力を供給する。これにより、端末装置１１は、ＩＣチップ１３ａとの間で無線通信を行う。
【００６２】
端末装置１１は、ＩＣチップ１３ａとの間で通信を行うことにより、ＩＣチップ１３ａが保持している残金情報を受信する（読み出す）。更に、端末装置１１は、ＩＣチップ１３ａとの間で通信を行うことにより、ＩＣチップ１３ａが保持している残金情報を変更する（書き込む）。即ち、端末装置１１は、ＩＣチップ１３ａと無線通信を行うことによりＩＣチップ１３ａが保持する残金情報を読み書き可能に構成されている。
【００６３】
更に、端末装置１１には、図示しない入力装置が接続されている。端末装置１１は、入力装置を介して入力された情報を受け付ける。
【００６４】
また、端末装置１１は、図示しないＣＰＵ及び記憶装置を備える。端末装置１１は、記憶装置に記憶されているプログラムをＣＰＵが実行することにより、後述する機能を実現するように構成されている。
【００６５】
サーバ装置１２は、図示しないＣＰＵ及び記憶装置を備える。サーバ装置１２は、記憶装置に記憶されているプログラムをＣＰＵが実行することにより、後述する機能を実現するように構成されている。
【００６６】
図２は、上記のように構成された決済システム１の機能を表すブロック図である。この機能は、端末装置１１のＣＰＵが後述する図３に示したフローチャートにより表されるプログラム等を実行するとともに、サーバ装置１２のＣＰＵが後述する図４に示したフローチャートにより表されるプログラム等を実行することにより、実現される。
【００６７】
この端末装置１１の機能は、支払金額受付部（支払金額受付手段）２１と、支払処理実行部（支払処理実行手段）２２と、支払情報送信部（支払情報送信手段）２３と、払戻処理実行部（払戻処理実行手段）２４と、を含む。
【００６８】
また、携帯電話機１３の機能は、電話機位置情報送信部（電話機位置情報送信手段）３１を含む。
また、サーバ装置１２の機能は、払戻条件判定部（払戻条件判定手段）４１と、支払情報記憶部４２と、払戻条件記憶部４３と、払戻情報送信部（払戻情報送信手段）４４と、を含む。
【００６９】
端末装置１１の支払金額受付部２１は、端末装置１１のユーザ（例えば、端末装置１１が設置された施設（店舗等）の従業員等）が入力装置を介して入力した支払金額（を表す情報）を受け付ける。
【００７０】
端末装置１１の支払処理実行部２２は、支払金額受付部２１により支払金額が受け付けられた場合であって、ＩＣチップ１３ａと通信可能な状態となった場合、支払処理を実行する。支払処理は、ＩＣチップ１３ａが保持している残金情報が表す残金から、上記受け付けられた支払金額を減じた金額を表す情報に、ＩＣチップ１３ａが保持している残金情報を更新する処理である。
【００７１】
端末装置１１の支払情報送信部２３は、支払処理実行部２２により支払処理が実行された場合、支払情報と、その支払処理の対象となったＩＣチップ１３ａ（即ち、その支払処理により残金情報が更新されたＩＣチップ１３ａ）を特定するための保持体特定情報と、をサーバ装置１２へ送信する。
【００７２】
ここで、支払情報は、端末装置１１の位置を表す端末装置位置情報と、上記支払処理の基となった支払金額を表す支払金額情報と、上記支払処理が実行された日時を表す日時情報と、を含む。なお、端末装置位置情報は、本例では、端末装置１１を特定するための端末装置特定情報である。
【００７３】
なお、サーバ装置１２は、端末装置特定情報と、その端末装置特定情報により特定される端末装置の位置を表す位置情報（本例では、経度及び緯度を表す情報）と、を対応付けて予め記憶している。従って、端末装置特定情報は、実質的に、端末装置１１の位置を表す情報である、と言うことができる。
【００７４】
また、保持体特定情報は、ＩＣチップ１３ａを識別するための識別情報である。なお、保持体特定情報は、ユーザを特定するための情報、又は、携帯電話機１３を特定するための情報（例えば、電話番号等）であってもよい。
【００７５】
また、携帯電話機１３の電話機位置情報送信部３１は、通信可能な状態にある基地局装置１４が変化する毎に、携帯電話機１３の位置を表す電話機位置情報と、携帯電話機１３に搭載されたＩＣチップ１３ａを特定するための保持体特定情報と、現時点の日時を表す日時情報と、を基地局装置１４を経由させてサーバ装置１２へ送信する。電話機位置情報は、本例では、基地局装置１４を特定するための基地局装置特定情報である。
【００７６】
なお、サーバ装置１２は、基地局装置特定情報と、その基地局装置特定情報により特定される基地局装置の位置を表す位置情報（本例では、経度及び緯度を表す情報）と、を対応付けて予め記憶している。従って、基地局装置特定情報は、実質的に、携帯電話機１３の位置を表す情報である、と言うことができる。
【００７７】
なお、携帯電話機１３は、予め設定された送信周期が経過する毎に、電話機位置情報、日時情報及び保持体特定情報をサーバ装置１２へ送信するように構成されていてもよい。また、携帯電話機１３は、ＧＰＳ（Ｇｌｏｂａｌ  Ｐｏｓｉｔｉｏｎｉｎｇ  Ｓｙｓｔｅｍ）を用いて携帯電話機１３の位置を表す位置情報を取得するとともに、取得された位置情報を電話機位置情報として送信するように構成されていてもよい。
【００７８】
サーバ装置１２の払戻条件判定部４１は、端末装置１１から支払情報及び保持体特定情報を受信する。また、払戻条件判定部４１は、携帯電話機１３から電話機位置情報、日時情報及び保持体特定情報を受信する。
【００７９】
サーバ装置１２の支払情報記憶部４２は、図５に示したように、払戻条件判定部４１により受信された支払情報及び保持体特定情報を対応付けた支払情報テーブルを記憶する。更に、支払情報記憶部４２は、図６に示したように、払戻条件判定部４１により受信された電話機位置情報、日時情報及び保持体特定情報を対応付けた電話機位置情報テーブルを記憶する。
【００８０】
なお、支払情報テーブル及び電話機位置情報テーブルに含まれる情報は、条件判定用情報とも呼ばれる。即ち、条件判定用情報は、各ＩＣチップに対して、所定の期間内に実行された支払処理の支払金額の和を表す情報を含む。更に、条件判定用情報は、各ＩＣチップに対して、所定の期間内に支払処理を実行した端末装置の位置を表す情報を含む。加えて、条件判定用情報は、各ＩＣチップに対して、所定の期間内に支払処理が実行された支払回数を表す情報を含む。更に、条件判定用情報は、各ＩＣチップを搭載する携帯電話機の所定の期間内の位置を表す情報を含む。
【００８１】
サーバ装置１２の払戻条件記憶部４３は、払戻条件を表す払戻条件情報を予め記憶する。本例では、払戻条件情報は、図７に示したように、期間を特定するための期間特定情報と、領域を特定するための領域特定情報と、を対応付けた情報である。
【００８２】
例えば、払戻条件情報は、旅行の日程を表す旅行日程情報に基づいて生成された情報であってもよい。旅行日程情報は、ある位置を表す情報と、その位置を通過する日時を表す情報と、の組を複数含む情報である。
【００８３】
また、この旅行日程情報は、携帯電話機１３のユーザによって入力された情報であってもよく、携帯電話機１３のユーザによって入力された情報（例えば、ユーザの嗜好を表す情報）に基づいてサーバ装置１２が生成した情報であってもよい。なお、サーバ装置１２がユーザにより入力された情報に基づいて旅行日程情報を生成する技術は、例えば、特開２００２−７３７５６号公報等に開示されている。
【００８４】
この場合、決済システム１は、例えば、上記旅行日程情報が表す旅行の日程に従って、携帯電話機１３のユーザが旅行を行った場合に、払戻処理を行うという複雑な決済処理を実現することができる。
【００８５】
払戻条件判定部４１は、支払情報又は電話機位置情報を受信する毎に、払戻条件記憶部４３に記憶されている払戻条件情報が表す払戻条件が成立しているか否かを判定する。
【００８６】
具体的には、払戻条件判定部４１は、支払情報又は電話機位置情報を受信すると、受信した支払情報又は電話機位置情報とともに受信した保持体特定情報を取得する。そして、払戻条件判定部４１は、上記支払情報テーブルに含まれる日時情報及び端末装置位置情報のうちの、取得した保持体特定情報と対応付けられた、日時情報及び端末装置位置情報からなる日時位置情報を抽出する。更に、払戻条件判定部４１は、上記電話機位置情報テーブルに含まれる日時情報及び電話機位置情報のうちの、取得した保持体特定情報と対応付けられた、日時情報及び電話機位置情報からなる日時位置情報を抽出する。
【００８７】
次いで、払戻条件判定部４１は、払戻条件記憶部４３に記憶されている払戻条件情報のそれぞれに対して、上記抽出した日時位置情報が、条件成立日時位置情報を含むか否かを判定する。ここで、条件成立日時位置情報は、払戻条件情報に含まれる期間特定情報により特定される期間内の日時を表す日時情報と、その払戻条件情報に含まれる領域特定情報により特定される領域内の位置を表す端末装置位置情報又は電話機位置情報と、からなる情報である。
【００８８】
払戻条件判定部４１は、すべての払戻条件情報に対して、上記抽出した日時位置情報が、上記条件成立日時位置情報を含むと判定した場合、払戻条件が成立していると判定する。一方、払戻条件判定部４１は、いずれかの払戻条件情報に対して、上記抽出した日時位置情報が、上記条件成立日時位置情報を含まないと判定した場合、払戻条件が成立していないと判定する。
【００８９】
即ち、払戻条件判定部４１は、保持体特定情報を含む条件判定用情報を取得し、当該取得した条件判定用情報に基づいて、予め設定された払戻条件が成立するか否かを判定する払戻条件判定手段を構成している。
【００９０】
このように、本例では、払戻条件は、あるＩＣチップに対して、所定の期間内に支払処理を実行した端末装置の位置が予め設定された領域内であるという第１の条件、及び、あるＩＣチップを搭載する携帯電話機の所定の期間内の位置が予め設定された領域内であるという第２の条件、のいずれかが成立する場合に成立する条件である、と言うことができる。
【００９１】
サーバ装置１２の払戻情報送信部４４は、払戻条件判定部４１により払戻条件が成立していると判定された場合、当該判定の基となった支払情報に基づいて払戻金額を算出する。本例では、払戻情報送信部４４は、判定の基となった支払情報に含まれる支払金額の和に、予め設定された割引率を乗じた値を払戻金額として算出する。そして、払戻情報送信部４４は、算出した払戻金額と、上記判定の基となった支払情報と対応付けられた保持体特定情報と、を含む払戻情報を端末装置１１へ送信する。
【００９２】
端末装置１１の払戻処理実行部２４は、サーバ装置１２から払戻情報を受信する。払戻処理実行部２４は、図８に示したように、受信した払戻情報に含まれる払戻金額を表す払戻金額情報と、その払戻情報に含まれる保持体特定情報と、を対応付けて記憶装置に記憶させる。
【００９３】
更に、払戻処理実行部２４は、ＩＣチップ１３ａと通信可能な状態となった場合において、そのＩＣチップ１３ａを特定するための保持体特定情報が記憶装置に記憶されているとき、払戻処理を実行する。払戻処理は、ＩＣチップ１３ａが保持している残金情報が表す残金に、そのＩＣチップ１３ａを特定するための保持体特定情報と対応付けて記憶されている払戻金額情報が表す払戻金額を加えた金額を表す情報に、ＩＣチップ１３ａが保持している残金情報を更新する処理である。
【００９４】
払戻処理実行部２４は、上記払戻処理が完了すると、その払戻処理の基となった払戻金額情報及び保持体特定情報を記憶装置から消去する。
【００９５】
（作動）
次に、上述した決済システム１の作動について具体的に述べる。
端末装置１１のＣＰＵは、図３にフローチャートにより示した決済処理プログラムを、端末装置１１の起動時に実行するようになっている。
【００９６】
具体的に述べると、ＣＰＵは、決済処理プログラムの処理を開始すると、ステップ３０５にて、端末装置１１がいずれかのＩＣチップと通信可能となるまで待機する。
【００９７】
いま、端末装置１１のユーザが入力装置を介して支払金額を入力することにより、端末装置１１が入力された支払金額を受け付ける（支払金額受付工程）とともに、ＩＣチップ１３ａが端末装置１１の近傍に配置された場合を想定して説明を続ける。
【００９８】
この場合、ＣＰＵは、ステップ３０５にて「Ｙｅｓ」と判定してステップ３１０へ進み、通信可能な状態にあるＩＣチップ１３ａを特定するための保持体特定情報を含む払戻情報が記憶装置に記憶されている（払戻情報を受信済みである）か否かを判定する。
【００９９】
いま、ＩＣチップ１３ａを特定するための保持体特定情報を含む払戻情報が記憶装置に記憶されていない場合を想定して説明を続ける。この場合、ＣＰＵは、「Ｎｏ」と判定してステップ３１５へ進み、支払金額を受け付けた（受け付け済みである）か否かを判定する。
【０１００】
上記仮定に従えば、端末装置１１が支払金額を受け付け済みであるので、ＣＰＵは、「Ｙｅｓ」と判定してステップ３２０へ進み、支払処理を実行する（支払処理実行工程）。即ち、端末装置１１は、ＩＣチップ１３ａが保持している残金情報が表す残金から、上記受け付けられた支払金額を減じた金額を表す情報に、ＩＣチップ１３ａが保持している残金情報を更新する。
【０１０１】
そして、ＣＰＵは、支払情報と、ＩＣチップ１３ａを特定するための保持体特定情報と、をサーバ装置１２へ送信する（ステップ３２５、支払情報送信工程）。
その後、ＣＰＵは、ステップ３０５へ戻り、ステップ３０５〜ステップ３２５の処理を繰り返し実行する。
【０１０２】
なお、端末装置１１のＣＰＵは、端末装置１１が、支払金額を受け付けていない状態においてＩＣチップと通信可能となった場合、ステップ３１５にて「Ｎｏ」と判定して、ステップ３２０及びステップ３２５の処理を実行することなくステップ３０５へ戻る。
【０１０３】
一方、サーバ装置１２のＣＰＵは、図４にフローチャートにより示した払戻条件判定処理プログラムを、サーバ装置１２の起動時に実行するようになっている。
【０１０４】
具体的に述べると、ＣＰＵは、払戻条件判定処理プログラムの処理を開始すると、ステップ４０５にて、サーバ装置１２が支払情報又は電話機位置情報を受信するまで待機する。
【０１０５】
上記仮定に従えば、サーバ装置１２は、端末装置１１から支払情報及び保持体特定情報を受信する。これにより、サーバ装置１２は、受信した支払情報及び保持体特定情報を対応付けて記憶装置に記憶させる。また、サーバ装置１２のＣＰＵは、ステップ４０５にて「Ｙｅｓ」と判定してステップ４１０へ進み、払戻条件が成立しているか否かを判定する（払戻条件判定工程）。
【０１０６】
いま、払戻条件が成立していない場合を想定して説明を続ける。この場合、ＣＰＵは、「Ｎｏ」と判定してステップ４０５へ戻り、ステップ４０５〜ステップ４２０の処理を繰り返し実行する。
【０１０７】
一方、携帯電話機１３のＣＰＵは、所定のプログラムを実行することにより、通信可能な状態にある基地局装置１４が変化する毎に、携帯電話機１３の位置を表す電話機位置情報と、携帯電話機１３に搭載されたＩＣチップ１３ａを特定するための保持体特定情報と、現時点の日時を表す日時情報と、を基地局装置１４を経由させてサーバ装置１２へ送信する。
【０１０８】
いま、携帯電話機１３と通信可能な状態にある基地局装置１４が変化した場合を想定して説明を続ける。この場合、携帯電話機１３は、電話機位置情報、日時情報及び保持体特定情報をサーバ装置１２へ送信する（電話機位置情報送信工程）。これにより、サーバ装置１２は、携帯電話機１３から電話機位置情報、日時情報及び保持体特定情報を受信する。そして、サーバ装置１２は、受信した電話機位置情報、日時情報及び保持体特定情報を対応付けて記憶装置に記憶させる。
【０１０９】
また、サーバ装置１２のＣＰＵは、ステップ４０５にて「Ｙｅｓ」と判定してステップ４１０へ進み、払戻条件が成立しているか否かを判定する。上記仮定に従えば、ＣＰＵは、「Ｎｏ」と判定してステップ４０５へ戻り、ステップ４０５〜ステップ４２０の処理を繰り返し実行する。
【０１１０】
次に、サーバ装置１２が支払情報及び保持体特定情報を受信することにより、払戻条件が成立した場合を想定して説明を続ける。
この場合、サーバ装置１２のＣＰＵは、ステップ４１０にて「Ｙｅｓ」と判定してステップ４１５へ進む。
【０１１１】
そして、ＣＰＵは、上記ステップ４１０における判定の基となった支払情報（ここでは、ＩＣチップ１３ａを特定するための保持体特定情報と対応付けられた支払情報）に基づいて払戻金額を算出する。
【０１１２】
次いで、ＣＰＵは、上記算出した払戻金額と、上記ステップ４１０における判定の基となった支払情報と対応付けられた保持体特定情報（ここでは、ＩＣチップ１３ａを特定するための保持体特定情報）と、を含む払戻情報を端末装置１１へ送信する（ステップ４２０、払戻情報送信工程）。
その後、ＣＰＵは、ステップ４０５へ戻り、ステップ４０５〜ステップ４２０の処理を繰り返し実行する。
【０１１３】
一方、端末装置１１は、サーバ装置１２から払戻情報を受信すると、受信した払戻情報に含まれる払戻金額を表す払戻金額情報と、その払戻情報に含まれる保持体特定情報と、を対応付けて記憶装置に記憶させる。
【０１１４】
次に、この状態において、ＩＣチップ１３ａが端末装置１１の近傍に配置された場合を想定して説明を続ける。
この場合、端末装置１１のＣＰＵは、ステップ３０５及びステップ３１０のそれぞれにて「Ｙｅｓ」と判定してステップ３３０へ進む。
【０１１５】
そして、ＣＰＵは、払戻処理を実行する（払戻処理実行工程）。即ち、端末装置１１は、ＩＣチップ１３ａが保持している残金情報が表す残金に、そのＩＣチップ１３ａを特定するための保持体特定情報と対応付けて記憶されている払戻金額情報が表す払戻金額を加えた金額を表す情報に、ＩＣチップ１３ａが保持している残金情報を更新する。
その後、ＣＰＵは、ステップ３１５以降の処理を実行する。
【０１１６】
以上、説明したように、本発明による決済システムの実施形態によれば、払戻条件が成立した時点以降において端末装置１１とＩＣチップ（残金情報保持体）１３ａとの間で通信が行われた時点にて、払戻処理が行われる。この結果、所定の期間内に特定の領域内にて支払処理が実行された場合に払戻処理を行う、という複雑な決済処理を実現することができる。
【０１１７】
更に、上記実施形態によれば、サーバ装置１２は、端末装置１１から受信した支払情報に基づいて取得した条件判定用情報に基づいて、払戻条件が成立しているか否かを判定することができる。従って、サーバ装置１２は、支払処理を実行した端末装置１１の位置に基づいて払戻条件が成立しているか否かを判定することができる。
【０１１８】
加えて、上記実施形態によれば、サーバ装置１２は、払戻金額を支払情報に応じて決定することができる。具体的には、サーバ装置１２は、所定の期間内における支払金額に応じて払戻金額を決定することができる。
【０１１９】
更に、上記実施形態によれば、支払処理が実行されていない期間であっても、サーバ装置１２は、電話機位置情報に基づいて、ＩＣチップ１３ａのユーザの位置を特定することができる。従って、この決済システム１によれば、支払処理が実行されていない期間における、ＩＣチップ１３ａのユーザの位置に基づいて、払戻条件が成立しているか否かを判定することができる。
【０１２０】
なお、本発明は上記実施形態に限定されることはなく、本発明の範囲内において種々の変形例を採用することができる。例えば、上記実施形態においては、サーバシステムは、１つのサーバ装置１２により構成されていたが、複数のサーバ装置により構成されていてもよい。また、端末装置１１は、１つの装置により構成されていたが、通信可能に接続された複数の装置により構成されていてもよい。
【０１２１】
また、上記実施形態の変形例において、決済システムは、金額に替えてポイントを用いるように構成されていてもよい。
【０１２２】
また、上記実施形態の変形例において、決済システムは、払戻条件として、所定の期間内に実行された支払処理の支払金額の和が予め設定された閾値金額以上であるという条件を用いるように構成されていてもよい。この場合、所定の期間内に実行された支払処理の支払金額の和が上記閾値金額以上である場合に払戻処理を行う、という複雑な決済処理を実現することができる。
【０１２３】
また、上記実施形態の変形例において、決済システムは、払戻条件として、所定の期間内に実行された支払処理の支払回数が予め設定された閾値回数以上であるという条件を用いるように構成されていてもよい。この場合、所定の期間内に実行された支払処理の支払回数が上記閾値回数以上である場合に払戻処理を行う、という複雑な決済処理を実現することができる。
【０１２４】
また、上記実施形態において、残金情報保持体は、携帯電話機に搭載されていたが、他の電子機器に搭載されていてもよく、プラスチック製のカードに搭載されていてもよい。
【０１２５】
なお、上記実施形態において決済システム１の各機能は、ＣＰＵがプログラム（ソフトウェア）を実行することにより実現されていたが、回路等のハードウェアにより実現されていてもよい。
【０１２６】
また、図９に示したように、上記実施形態の変形例に係る決済システム１００は、残金情報保持体と端末装置とを含む。残金情報保持体は、残金を表す残金情報を保持する。端末装置は、残金情報保持体と無線通信を行うことにより、残金情報保持体が保持する残金情報を読み書き可能に構成される。
【０１２７】
また、決済システム１００の機能は、支払処理実行部（支払処理実行手段）１１１と、払戻条件判定部（払戻条件判定手段）１１２と、払戻処理実行部（払戻処理実行手段）１１３と、を含む。
【０１２８】
支払処理実行部１１１は、残金情報保持体が保持している残金情報が表す残金から所定の支払金額を減じた金額を表す情報に当該残金情報を更新する支払処理を行う。
払戻条件判定部１１２は、残金情報保持体を特定するための保持体特定情報を含む条件判定用情報を取得する。払戻条件判定部１１２は、取得した条件判定用情報に基づいて、予め設定された払戻条件が成立するか否かを判定する。
【０１２９】
払戻処理実行部１１３は、払戻条件判定部１１２により払戻条件が成立していると判定された場合において、当該判定の基となった条件判定用情報に含まれる保持体特定情報により特定される残金情報保持体と端末装置とが通信を行うとき、残金情報保持体が保持している残金情報が表す残金に所定の払戻金額を加えた金額を表す情報に当該残金情報を更新する払戻処理を行う。
この変形例によっても、上記実施形態と同様に、複雑な決済処理を実現することができる。
【０１３０】
また、上記実施形態の他の変形例として、上述した実施形態及び変形例の任意の組み合わせが採用されてもよい。
【産業上の利用可能性】
【０１３１】
本発明は、残金情報を保持するＩＣチップを搭載した携帯電話機と、当該残金情報を読み書き可能に構成された端末装置と、を含む電子決済システム等に適用可能である。
【符号の説明】
【０１３２】
１      決済システム
１１    端末装置
１２    サーバ装置
１３    携帯電話機
１３ａ  ＩＣチップ
１４    基地局装置
２１    支払金額受付部
２２    支払処理実行部
２３    支払情報送信部
２４    払戻処理実行部
３１    電話機位置情報送信部
４１    払戻条件判定部
４２    支払情報記憶部
４３    払戻条件記憶部
４４    払戻情報送信部
１００  決済システム
１１１  支払処理実行部
１１２  払戻条件判定部
１１３  払戻処理実行部
【図１】
2010271865.tif 000003
【図２】
2010271865.tif 000004
【図３】
2010271865.tif 000005
【図４】
2010271865.tif 000006
【図５】
2010271865.tif 000007
【図６】
2010271865.tif 000008
【図７】
2010271865.tif 000009
【図８】
2010271865.tif 000010
【図９】
2010271865.tif 000011